(57)【要約】【課題】  簡易な構成で、マガジン内のカートリッジがアクセッサの軌道上に進入することを防止する。【解決手段】  本発明の進入防止機構は、カートリッジを収容するマガジンと前記カートリッジを搬送するアクセッサとの間に、前記アクセッサの移動方向に延在して配置されるシートと、前記シートを保持するシート取付部と、を備え、前記シート取付部は、前記アクセッサが移動する軌道上の外側に配置され、前記シートは、前記アクセッサの前記カートリッジの出入口を除き、前記マガジン内の前記カートリッジを覆うように配置される。【選択図】  図２
2016103302.tif 000002
【特許請求の範囲】
【請求項１】
カートリッジを収容するマガジンと前記カートリッジを搬送するアクセッサとの間に、前記アクセッサの移動方向に延在して配置されるシートと、
前記シートを保持するシート取付部と、を備え、
前記シート取付部は、前記アクセッサが移動する軌道上の外側に配置され、
前記シートは、前記アクセッサの前記カートリッジの出入口を除き、前記マガジン内の前記カートリッジを覆うように配置される、
進入防止機構。
【請求項２】
前記アクセッサは、前記アクセッサの四隅にそれぞれ設置されたローラーを備え、
前記シートは、前記ローラーを介して、前記アクセッサの前記カートリッジの出入口を除き、前記マガジン内の前記カートリッジを覆うように配置される、
請求項１に記載の進入防止機構。
【請求項３】
前記進入防止機構のシートは、前記アクセッサを境に、第１進入防止機構の第１シートと、第２進入防止機構の第２シートに分かれ、
前記第１進入防止機構は、前記第１シート部と、前記第１シート取付部と、第２シート取付部と、を備え、
前記第２進入防止機構は、前記第２シート部と、前記第３シート取付部と、第４シート取付部と、を備え、
前記第１シート取付部と、前記第４シート取付部は、前記アクセッサが移動する軌道上の外側に配置され、
前記第２シート取付部、及び、前記第３シート取付部は、前記アクセッサに固定され、
前記アクセッサの移動により、前記第１進入防止機構の第１シートが伸び、前記第２進入防止機構の第２シートが縮む、
請求項１に記載の進入防止機構。
【請求項４】
前記第１シート取付部又は第２シート取付部の少なくとも一方に、前記シートを巻き取る巻取り機構を有し、前記第１シート取付部又は第２シート取付部の少なくとも一方に、前記シートを巻き取る巻取り機構を有する、
請求項３に記載の進入防止機構。
【請求項５】
前記シート取付部の少なくとも一方に前記シートを巻き取る巻取り機構を備え、
前記シートは、前記アクセッサと固着され、かつ、前記アクセッサのカートリッジ出入口に対応して開口部が形成されている、
請求項１に記載の進入防止機構。
【請求項６】
前記シートが、空隙を有するシート、又は、空隙のないシートである、
請求項１から請求項５のいずれか１つに記載の進入防止装置。
【請求項７】
前記シートの帯幅の値は、前記マガジンのカートジッリ出入口の高さの値より小さい、
請求項１から請求項６のいずれか１つに記載の進入防止装置。
【請求項８】
前記カートリッジに含まれる記録情報を書き込む、又は、読み出すドライブが、前記マガジンと併設され、前記シートは、前記ドライブに収容されるカートリッジを含めて覆うように配置される、
請求項１から請求項７のいずれか１つに記載の進入防止装置。
【請求項９】
カートリッジを収容するマガジンと、前記カートリッジを搬送するアクセッサと、進入防止機構を備え、
前記進入防止機構は、
前記マガジンと前記アクセッサとの間に、前記アクセッサの移動方向に延在して配置されるシートと、
前記シートを保持するシート取付部と、を備え、
前記シート取付部は、前記アクセッサが移動する軌道上の外側に配置され、
前記シートは、前記アクセッサの前記カートリッジの出入口を除き、前記マガジン内の前記カートリッジを覆うように配置される、
ライブラリ装置。
【請求項１０】
前記ライブラリ装置は、１Ｕサイズのライブラリ装置である、
請求項９に記載のライブラリ装置。
【発明の詳細な説明】
【技術分野】
【０００１】
本発明は、進入防止機構、ライブラリ装置に関し、特にマガジンに収容されるカートリッジの防護に関する。
【背景技術】
【０００２】
ライブラリ装置は、マガジンに収納された磁気データカートリッジ（以下、カートリッジと示す。）をアクセッサにより選択的に取り出してドライブ装置に搬送することでカートリッジ内のデータを読み取り、又は、書き込みする。
【０００３】
ライブラリ装置のカートリッジは、通常、マガジン内の所定位置に留まっているが、地震の揺れ等の不測の事態により、カートリッジがマガジンから飛び出してアクセッサが移動する軌道上に進入する場合がある。このとき、軌道上に進入したカートリッジに移動中のアクセッサが衝突し、アクセッサ、カートリッジ、又は、マガジン等が破損してライブラリ装置の運用に影響を与えることになる。
【０００４】
特許文献１、２には、カートリッジの飛び出しを防止するために、マガジンのカートリッジを収納するセルごとに飛び出し防止扉を設け、カートリッジを搬送するセル以外は、飛び出し防止扉を閉じるライブラリ装置が記載されている。
【０００５】
特許文献３には、マガジンのカートリッジを収納するセル行及びセル列のそれぞれにカートリッジの出し入れを遮る複数のガードバー設け、ガイドバーをスライドさせて閉鎖位置と開放位置を制御するライブラリ装置が記載されている。
【先行技術文献】
【特許文献】
【０００６】
【特許文献１】特開２００８−２１０４７４号公報
【特許文献２】特開２０１３−２１８７７７号公報
【特許文献３】特開２００８−１８６５２７号公報
【特許文献４】特開２００７−２６７４７４号公報
【特許文献５】特開平７−３１０７９８号公報
【発明の概要】
【発明が解決しようとする課題】
【０００７】
特許文献１、２に記載のマガジンのセルごとにカートリッジの飛び出し防止扉を付けるライブラリ装置は、マガジンの構造や制御が複雑になる、また、セルの数だけ飛び出し防止扉を設けるためセルの数に応じてコストがかかることになる。
【０００８】
また、特許文献３に記載されたマガジンのセル行とセル列にガイドバーを設けるライブラリ装置は、制御の数は特許文献１、２とより少なくなるが、セル行とセル列だけの制御が必要となるため、マガジンの構造又は制御が複雑になり、セルの数に応じてコストがかかる。
【０００９】
本発明の目的は、簡易な構成で、マガジン内のカートリッジがアクセッサの軌道上に進入することを防止する技術を提供することにある。
【課題を解決するための手段】
【００１０】
本発明の進入防止機構は、カートリッジを収容するマガジンと前記カートリッジを搬送するアクセッサとの間に、前記アクセッサの移動方向に延在して配置されるシートと、
前記シートを保持するシート取付部と、を備え、
前記シート取付部は、前記アクセッサが移動する軌道上の外側に配置され、
前記シートは、前記アクセッサの前記カートリッジの出入口を除き、前記マガジン内の前記カートリッジを覆うように配置される。
【００１１】
本発明のライブラリ装置は、上記の進入防止機構と、前記マガジンと、前記カートリッジと、前記アクセッサと、を備える。
【発明の効果】
【００１２】
本発明は、簡易な構成で、マガジン内のカートリッジがアクセッサの軌道上に進入することを防止することができる。
【図面の簡単な説明】
【００１３】
【図１】１Ｕサイズのライブラリ装置の構成を示す斜視図である。
【図２】本発明の第１の実施形態によるライブラリ装置の構成を示す上面図である。
【図３】第１の実施形態によるライブラリ装置の進入防止機構の構成を示す上面図である。
【図４】第１の実施形態における進入防止機構のシートの状態を示す斜視図である。
【図５】本発明の第２の実施形態によるライブラリ装置の構成を示す上面図である。
【図６】第２の実施形態によるライブラリ装置の進入防止機構の構成を示す上面図である。
【図７】第２の実施形態における進入防止機構のシートの状態を示す斜視図である。
【図８】本発明の第３の実施形態によるライブラリ装置の構成を示す上面図である。
【図９】第３の実施形態によるライブラリ装置の進入防止機構の構成を示す上面図である。
【図１０】図９のＡ−Ａ’方向からのシート及びアクセッサを示す図である。
【図１１】第３の実施形態における進入防止機構のシートの状態を示す斜視図である。
【図１２】第１の実施形態〜第３の実施形態に適用可能な進入防止機構のシートの種別を示す表図である。
【図１３】図１２の項目（ｃ）のシートを第３の実施形態の進入防止機構に用いる例を示す図である。
【図１４】図１２の項目（ｃ）のシートを用いた第３の実施形態の斜視図である。
【図１５】図１２の項目（ｃ）のシートを第２の実施形態の進入防止機構に用いる例を示す図である。
【発明を実施するための形態】
【００１４】
本発明の第１の実施形態による進入防止機構を１Ｕ（ユニット）サイズのライブラリ装置に適用する例について、図面を用いて説明する。
【００１５】
図１は、１Ｕサイズのライブラリ装置の構成を示す斜視図である。図１に示すように、ライブラリ装置１０は、ドライブ１１、マガジン１２、アクセッサ１３、電源１４、制御回路１５、フロントベゼル１６を備える。
【００１６】
ドライブ１１は、磁気テープカートリッジ（図示せず）のデータを読み出す、又は、書き込む機能を有する。マガジン１２は、磁気テープカートリッジ（以後、カートリッジと示す）を収納するセル（図示せず）を備える。マガジン１２には、複数のセルが配置されている。アクセッサ１３は、制御回路１５の指示によりカートリッジをドライブ１１とマガジン１２との間で搬送する機能を有する。
【００１７】
電源１４は、トライブ１１、アクセッサ１３、制御回路１５に対して、それぞれ所定の動作電圧を供給する機能を有する。制御回路１５は、アクセッサ１３に対して、カートリッジの搬送動作を指示する機能を有する。フロントベゼル１６は、ライブラリ装置１０内への空気吸入用の開口部を備える。
【００１８】
次に、本発明の第１の実施形態による進入防止機構を適用するライブラリ装置の構成について図２を用いて説明する。図２は、本発明の第１の実施形態によるライブラリ装置の構成を示す上面図である。図２のライブラリ装置１に関し、図１のライブラリ装置１０と同じ構成については、同一の符号を付して詳細な説明は省略する。
【００１９】
図２に示すように、ライブラリ装置１は、ドライブ１１、マガジン１２、アクセッサ１３、磁気テープカートリッジ１７、バネ１８を備える。マガジン１２内に磁気テープカートリッジ（以後、カートリッジと示す）１７が配置され、バネ１８によってカートリッジ１７がアクセッサ１３の方向に押し出される。更に、ライブラリ装置１は、進入防止機構として、シート２０、シート取付部２１、２２、ローラー２３、２４、２５、２６を備える。
【００２０】
進入防止機構のシート２０は、帯状であり、帯の平面の一部がマガジン１２及びドライブ１１に対向するように配置される。シート２０の端部は、それぞれシート取付部２１及びシート取付部２２に取り付けられている。シート取付部２１、２２は、アクセッサ１３が移動する軌道上の外側に配置される。具体的には、シート取付部２１、２２は、ライブラリ装置１のマガジン１２の端からドライブ１１の端の外側にそれぞれ配置される。シート２０は、シート取付部２１、２２により、アクセッサ１３の停止時、又は、移動時に張力がかかった状態となっている。
【００２１】
ローラー２３、２４、２５、２６は、アクセッサ１３の周囲に配置される。シート２０は、ローラー２３、２４、２５、２６によってアクセッサ１３のカートリッジ出入口を避けアクセッサ１３を囲むように配置される。
【００２２】
図３は、第１の実施形態による進入防止機構の構成を示す上面図である。シート取付部２１、２２はそれぞれ固定部２９によりアクセッサ１３が移動する軌道の外側に配置され固定される。アクセッサ１３は、周囲にローラー２３、２４、２５、２６を備え、ローラー２３、２４は、固定部２８でそれぞれアクセッサ１３に固定される。また、ローラー２５、２６は固定部２７でアクセッサ１３に固定される。このため、ローラー２３、２４、２５、２６は、アクセッサ１３とともに移動する。なお、ローラー２３、２４、２５、２６の位置は、アクセッサ１３の四隅に設置することが好ましいが、これに限られるものではない。
【００２３】
アクセッサ１３の移動方向が直線のため、シート２０は、シート２０の平面側をマガジン１２に向けたままの状態を保って、アクセッサ１３が移動する。
【００２４】
なお、シート２０に張力を与えるシート取付部２１、２２は、少なくともいずれかにシート２０を巻き取る巻取り機構（図示せず）を備えてもよい。シート取付部２１、２２に巻取り機構を設けることで、経年劣化でシート２０が伸びても巻取り機構により所定の張力を保つことが可能となる。
【００２５】
図４は、第１の実施形態における進入防止機構のシートの状態を示す斜視図である。図４に示すように、シート２０は、カートリッジ１７を収容するマガジン１２、及び、ドライブ１１に対してカートリッジ１７の出入口を覆うように配置される。また、アクセッサ１３は、周囲に配置されたローラー２３、２４、２５、２６により、シート２０がマガジン１２に近接する状態を保って移動することになる。このためカートリッジ１７が不測の事態によりマガジン１２又はドライブ１１から飛び出しても、カートリッジ１７がアクセッサの軌道上に進入することはない。
【００２６】
また、シート２０は、アクセッサ１３のカートリッジ出入口を避けて配置されているので、アクセッサ１３は、マガジン１２の任意のカートリッジ１７を搬送することができる。
【００２７】
以上のように、第１の実施形態の進入防止機構によれば、簡易な構成で、マガジン内のカートリッジがアクセッサの軌道上に進入することを防止することができる。
【００２８】
その理由は、進入防止機構が、カートリッジを収容するマガジンとカートリッジを搬送するアクセッサとの間に、アクセッサの移動方向に延在して配置されるシートと、シートを保持するシート取付部と、を備える。シート取付部は、アクセッサが移動する軌道上の外側に配置され、シートは、アクセッサのカートリッジの出入口を除き、マガジン内のカートリッジを覆うように配置されるからである。
【００２９】
さらに、第１の実施形態の進入防止機構は、アクセッサの位置に応じてマガジンのセル毎に扉、板、又はバーを開閉する制御も不要となる。
【００３０】
また、第１の実施形態の進入防止機構は、簡易な構成でカートリッジがアクセッサの軌道上に進入することを防止できるため、１Ｕサイズのライブラリ装置にも適用することができる。
【００３１】
（第２の実施形態）
本発明の第２の実施形態による進入防止機構を１Ｕサイズのライブラリ装置に適用する例について、図面を用いて説明する。
【００３２】
図５は、本発明の第２の実施形態による進入防止機構をライブラリ装置に適用する構成を示す上面図である。図５のライブラリ装置２に関し、図１のライブラリ装置１０と同じ構成については、同一の符号を付して詳細な説明は省略する。
【００３３】
図５に示すように、ライブラリ装置２は、ドライブ１１、マガジン１２、アクセッサ１３、カートリッジ１７、バネ１８を備える。更に、ライブラリ装置２は、進入防止機構として、第１進入防止機構と第２進入防止機構を備える。第１進入防止機構は、シート３０Ｌ、シート取付部３１、３２を備える。また第２進入防止機構は、シート３０Ｒ、シート取付部３４、３５を備える。
【００３４】
第１進入防止機構のシート３０Ｌ、及び、第２進入防止機構の３０Ｒは、帯状であり、帯の平面の一部がマガジン１２に対向するようにそれぞれ配置される。シート３０Ｌの端部は、シート取付部３１及びシート取付部３２に取り付けられる。シート３０Ｒの端部は、シート取付部３４及びシート取付部３５に取り付けられる。第１進入防止機構のシート取付部３１及び第２進入防止機構のシート取付部３４は、アクセッサ１３が移動する軌道上の外側にそれぞれ配置される。具体的には、ライブラリ装置２のマガジン１２の左の外側にシート取付部３１が配置され、ドライブ１１の右の外側にシート取付部３４が配置される。ここでマガジン１２の左とは、アクセッサ１３に対向するマガジン１２の面の左側である。また、ドライブ１１の右とは、アクセッサ１３に対向するドライブ１１の面の右側である。
【００３５】
シート取付部３２、３５は、アクセッサ１３の左右にそれぞれ分かれて配置されている。シート３０Ｌは、シート取付部３１、３２により、また、シート３０Ｒは、シート取付部３４、３５により、アクセッサ１３の停止時、又は、移動時に張力がかかった状態となっている。
【００３６】
図６は、第２の実施形態による進入防止機構の構成を示す上面図である。アクセッサ１３は、第１進入防止機構のシート取付部３２と第２進入防止機構のシート取付部３５を備え、シート取付部３２、３５は、それぞれ固定部３６によりアクセッサ１３に固定される。このため、シート取付部３２、３５は、アクセッサ１３とともに移動する。なお、シート取付部３２、３５の位置は、それぞれアクセッサ１３の左右の隅近傍に設置することが好ましいが、これに限られるものではない。
【００３７】
シート取付部３１、３４は、アクセッサ１３が移動する軌道の外側に配置され、それぞれ固定部３３により固定される。ここで、第１進入防止機構のシート取付部３１、３２の少なくとも１つは、シート３０Ｌを巻き取る巻取り機構を備える。また、第２進入防止機構のシート取付部３４、３５の少なくとも１つは、シートＲを巻き取る巻取り機構を備える。
【００３８】
第１進入防止機構のシート３０Ｌは、シート取付部３１又は３２の巻取り機構により、また、第２進入防止機構のシート３０Ｒは、シート取付部３４又は３５の巻取り機構により、それぞれのシート長が可変となる。このため、シート３０Ｌ、３０Ｒは、アクセッサ１３が移動しても、その平面側をマガジン１２に向けたままの状態を保つことができる。
【００３９】
巻取り機構は、シート取付部３１、３４に設置されることが好ましい。これは、アクセッサ１３に固定されるシート取付部３２、３５の軽量化、及び、小型化のためである。
【００４０】
なお、第１進入防止機構のシート取付部３１、３２の両方に巻取り機構を設けた場合は、一方のシート取付部の巻取り機構が故障しても、他方のシート取付部の巻取り機構が機能することで、進入防止機構の信頼性が向上するという利点がある。これは、第２進入防止機構のシート取付部についても同様である。
【００４１】
図７は、第２の実施形態における進入防止機構のシートの状態を示す斜視図である。図７に示すように、アクセッサ１３の左右に配置された第１進入防止機構のシート３０Ｌ、及び第２進入防止機構のシート３０Ｒにより、カートリッジ１７を収容するマガジン１２、及び、ドライブ１１におけるカートリッジ１７の出入口が覆われている。さらに、アクセッサ１３は、その周囲に配置されたシート取付部３２、３５により、第１進入防止機構のシート３０Ｌ、第２進入防止機構の３０Ｒが、それぞれマガジン１２に近接する状態を保って移動する。このためカートリッジ１７が不測の事態によりマガジン１２又はドライブ１１から飛び出しても、第１の進入防止機構及び第２進入防止機構が、カートリッジ１７によるアクセッサの軌道上への進入を防止することができる。
【００４２】
また、シート３０Ｌ、３０Ｒは、アクセッサ１３のカートリッジ出入口を避けて配置されているので、アクセッサ１３はマガジン１２の任意のカートリッジ１７を搬送することができる。
【００４３】
以上のように、第２の実施形態の進入防止機構によれば、簡易な構成で、マガジン内のカートリッジがアクセッサの軌道上に進入することを防止することができる。
【００４４】
その理由は、進入防止機構が、カートリッジを収容するマガジンとカートリッジを搬送するアクセッサとの間に、アクセッサの移動方向に延在して配置されるシートと、シートを保持するシート取付部と、を備える。シート取付部は、アクセッサが移動する軌道上の外側に配置され、シートは、アクセッサのカートリッジの出入口を除き、マガジン内のカートリッジを覆うように配置されるからである。
【００４５】
さらに、第２の実施形態の進入防止機構は、扉、板、又はバーをセル毎に開閉する制御が不要となる。
【００４６】
また、第２の実施形態の進入防止機構は、簡易な構成でカートリッジがアクセッサの軌道上に進入することを防止できるため、１Ｕサイズのライブラリ装置にも適用することができる。
【００４７】
（第３の実施形態）
本発明の第３の実施形態による進入防止機構を１Ｕ（ユニット）サイズのライブラリ装置に適用する例について、図面を用いて説明する。
【００４８】
図８は、本発明の第３の実施形態による進入防止機構をライブラリ装置に適用する構成を示す上面図である。図８のライブラリ装置３に関し、図１のライブラリ装置１０と同じ構成については、同一の符号を付して詳細な説明は省略する。
【００４９】
図８に示すように、ライブラリ装置３は、ドライブ１１、マガジン１２、アクセッサ１３、カートリッジ１７、バネ１８を備える。更に、ライブラリ装置３は、進入防止機構として、シート３０、シート取付部３４、３５を備える。
【００５０】
進入防止機構のシート３０は、帯状であり、帯の平面の一部がマガジン１２に対向するように配置される。シート３０の端部は、それぞれシート取付部３７及びシート取付部８に取り付けられる。進入防止機構のシート取付部３７、３８は、アクセッサ１３が移動する軌道上の外側にそれぞれ配置される。具体的には、ライブラリ装置３のマガジン１２の左の外側にシート取付部３７が配置され、ドライブ１１の右の外側にシート取付部３８が配置される。シート３０は、シート取付部３７、３８により、アクセッサ１３の停止時、又は、移動時に張力がかかった状態となっている。また、シート取付部３７、３８は、それぞれ固定部３９により固定される。
【００５１】
図９は、第３の実施形態による進入防止機構の構成を示す上面図である。シート３０は、アクセッサ１３に固着されている。図１０は、図９のＡ−Ａ’方向から見たシート３０及びアクセッサ１３を示す図である。図１０に示すように、シート３０は、カートリッジの出入りが可能な開口領域４１を有し、アクセッサ１３のカートリッジの出入口が、当該開口領域４１となるようにアクセッサ１３とシート３０が固着されている進入防止機構のシート取付部３７又は３８の巻取り機構により、シート３０は、アクセッサ１３とともに移動しても、その平面側をマガジン１２に向けたままの状態を保つことができる。
【００５２】
なお、進入防止機構のシート取付部３７、３８の両方に巻取り機構を設けた場合は、一方のシート取付部の巻取り機構が故障しても、他方のシート取付部の巻取り機構が機能することで、進入防止機構の信頼性が向上するという利点がある。
【００５３】
図１１は、第３の実施形態における進入防止機構のシートの状態を示す斜視図である。図１１に示すように、アクセッサ１３の左右に配置された進入防止機構のシート３０により、カートリッジ１７を収容するマガジン１２、及び、ドライブ１１におけるカートリッジ１７の出入口が覆われている。さらに、アクセッサ１３は、シート取付部３７、又は、３８の巻取り機構により、進入防止機構のシートが、それぞれマガジン１２に近接する状態を保って移動する。このためカートリッジ１７が不測の事態によりマガジン１２又はドライブ１１から飛び出しても、進入防止機構が、カートリッジ１７によるアクセッサの軌道上への進入を防止することができる。
【００５４】
また、シート３０は、カートリッジの出入りが可能な開口領域４１を有することで、アクセッサ１３は、マガジン１２の任意のカートリッジ１７を搬送することができる。
【００５５】
以上のように、第３の実施形態の進入防止機構によれば、簡易な構成で、マガジン内のカートリッジがアクセッサの軌道上に進入することを防止することができる。
【００５６】
その理由は、進入防止機構が、カートリッジを収容するマガジンとカートリッジを搬送するアクセッサとの間に、アクセッサの移動方向に延在して配置されるシートと、シートを保持するシート取付部と、を備える。シート取付部は、アクセッサが移動する軌道上の外側に配置され、シートは、アクセッサのカートリッジの出入口を除き、マガジン内のカートリッジを覆うように配置されるからである。
【００５７】
第３の実施形態のアクセッサ１３は、シート３０を固着した構成のため、第１又は第２の実施形態のようにシート取付部、又は、ローラーをアクセッサに設ける必要がない。このため、進入防止機構を備えるアクセッサ１３の軽量化、及び、小型化が実現できる。
【００５８】
また、第３の実施形態の進入防止機構は、簡易な構成でカートリッジがアクセッサの軌道上に進入することを防止できるため、１Ｕサイズのライブラリ装置にも適用することができる。
【００５９】
図１２は、第１の実施形態〜第３の実施形態に適用可能なシートの種別を示す表図である。図１２の項目（ａ）に示すシートは、空隙の無いシートである。空隙の無いシートは、材料を延伸したシートでもよく、織物状のシートでもよい。またシートの表面は、平面でもよく、あるいは凹凸があってもよい。なお凹凸は、均一に形成されていることが望ましい。
【００６０】
図１２の項目（ｂ）に示すシートは、空隙の有るシートである。空隙を有するシートの例としては、網目シートがある。網目シートは、細線によって網目が形成されたシートである。また網目形状は長方形（正方形含む）の他、菱形、又は、正多角形でもよい。また、空隙シートは、シートに空隙が形成されたシートでもよい。空隙形状は、楕円（新円を含む）又は、多角形（正多角形を含む）がある。空隙シートにおける空隙の位置は、規則的に配置されていることが好ましい。空隙シートによりシートの重量を軽量化することができる。
【００６１】
図１２の項目（ｃ）に示すシートは、項目（ａ）に示すシートと比べてシートの帯幅が狭いシートである。図１３は、項目（ｃ）のシートを第３の実施形態の進入防止機構に適用する例を示す図である。図１３のアクセッサは、図１０のシート３０に替えて、シート４０を用いている。シート４０をアクセッサ１３に固着させる位置は、マガジン内のカートリッジの位置に依存する。図１４は、図１２の項目（ｃ）のシートを用いた第３の実施形態の斜視図である。図１４に示すように、アクセッサ１３に固着させるシート４０の位置は、マガジン１２およびドライブ１１に収容されるカートリッジ１７の少なくとも一部を覆う位置となっている。シート４０の位置は、カートリッジ１７の中央付近を覆うことが好ましい。
【００６２】
図１２の項目（ｃ）のシートは、第３の実施形態だけでなく、他の実施形態にも適用可能である。図１５は、図１２の項目（ｃ）のシートを第２の実施形態の進入防止機構に用いる例を示す図である。図１５は、マガジン側からアクセッサ１３を見た図である。図１５に示すように、シート４０Ｒが取り付けられるシート取付部４１と、シート４０Ｌが取り付けられるシート取付部４２は、それぞれアクセッサ１３の周囲に位置する。アクセッサ１３とシート取付部４１、４２は、固定部（図示せず）で固定される。シート取付部４１、４２は、第２の実施形態のシート取付部３５、３２にそれぞれ対応する。
【００６３】
なお、シート取付部４１、４２に巻取り機構を設ける場合は、シート４０Ｌ、４０Ｒが巻取りにより位置が変わらないようにシート取付部にガイド溝を設けることが望ましい。
【００６４】
さらに、第３の実施形態の進入防止機構は、第１、第２の実施形態と比べてアクセッサの周辺に設置されるシート取付部又はローラーを削減することができ、アクセッサを軽量化、小型化することができる。
【００６５】
第１〜第３の実施形態で用いるシートの強度は、シート取付部によるシートの巻取り動作、又は、カートリッジの飛び出しによる接触があってもシートが破損しない強度が望ましい。
【００６６】
第１〜第３の実施形態では、マガジンの収容物として磁気データカートリッジの例を示したが、これに限られるものではなく、他の物でもよい。
【００６７】
以上、実施形態（及び実施例）を参照して本願発明を説明したが、本願発明は上記実施形態（及び実施例）に限定されものではない。本願発明の構成や詳細には、本願発明のスコープ内で当業者が理解し得る様々な変更をすることができる。
【００６８】
上記の実施形態の一部又は全部は、以下の付記のように記載されうるが、以下には限られない。
【００６９】
（付記１）
カートリッジを収容するマガジンと前記カートリッジを搬送するアクセッサとの間に、前記アクセッサの移動方向に延在して配置されるシートと、
前記シートを保持するシート取付部と、を備え、
前記シート取付部は、前記アクセッサが移動する軌道上の外側に配置され、
前記シートは、前記アクセッサの前記カートリッジの出入口を除き、前記マガジン内の前記カートリッジを覆うように配置される、
進入防止機構。
【００７０】
（付記２）
前記アクセッサは、前記アクセッサの四隅にそれぞれ設置されたローラーを備え、
前記シートは、前記ローラーを介して、前記アクセッサの前記カートリッジの出入口を除き、前記マガジン内の前記カートリッジを覆うように配置される、
付記１に記載の進入防止機構。
【００７１】
（付記３）
前記進入防止機構のシートは、前記アクセッサを境に、第１進入防止機構の第１シートと、第２進入防止機構の第２シートに分かれ、
前記第１進入防止機構は、前記第１シート部と、前記第１シート取付部と、第２シート取付部と、を備え、
前記第２進入防止機構は、前記第２シート部と、前記第３シート取付部と、第４シート取付部と、を備え、
前記第１シート取付部と、前記第４シート取付部は、前記アクセッサが移動する軌道上の外側に配置され、
前記第２シート取付部、及び、前記第３シート取付部は、前記アクセッサに固定され、
前記アクセッサの移動により、前記第１進入防止機構の第１シートが伸び、前記第２進入防止機構の第２シートが縮む、
付記１に記載の進入防止機構。
【００７２】
（付記４）
前記第１シート取付部又は第２シート取付部の少なくとも一方に、前記シートを巻き取る巻取り機構を有し、前記第１シート取付部又は第２シート取付部の少なくとも一方に、前記シートを巻き取る巻取り機構を有する、
付記３に記載の進入防止機構。
【００７３】
（付記５）
前記シート取付部の少なくとも一方に前記シートを巻き取る巻取り機構を備え、
前記シートは、前記アクセッサと固着され、かつ、前記アクセッサのカートリッジ出入口に対応して開口部が形成されている、
付記１に記載の進入防止機構。
【００７４】
（付記６）
前記シートが、空隙を有するシートである、
付記１から付記５のいずれか１つに記載の進入防止装置。
【００７５】
（付記７）
前記シートが、空隙のないシートである、
付記１から付記５のいずれか１つに記載の進入防止装置。
【００７６】
（付記８）
前記空隙を有するシートが、網目状シートである、
付記７のいずれか１つに記載の進入防止装置。
【００７７】
（付記９）
前記シートの帯幅の値は、前記マガジンのカートジッリ出入口の高さの値より小さい、
付記１から付記８のいずれか１つに記載の進入防止装置。
【００７８】
（付記１０）
前記カートリッジに含まれる記録情報を書き込む、又は、読み出すドライブが、前記マガジンと併設され、前記シートは、前記ドライブに収容されるカートリッジを含めて覆うように配置される、
付記１から付記９のいずれか１つに記載の進入防止装置。
【００７９】
（付記１１）
カートリッジを収容するマガジンと、前記カートリッジを搬送するアクセッサと、進入防止機構を備え、
前記進入防止機構は、
前記マガジンと前記アクセッサとの間に、前記アクセッサの移動方向に延在して配置されるシートと、
前記シートを保持するシート取付部と、を備え、
前記シート取付部は、前記アクセッサが移動する軌道上の外側に配置され、
前記シートは、前記アクセッサの前記カートリッジの出入口を除き、前記マガジン内の前記カートリッジを覆うように配置される、
ライブラリ装置。
【００８０】
（付記１２）
前記ライブラリ装置は、１Ｕサイズのライブラリ装置である、
付記１１に記載のライブラリ装置。
【符号の説明】
【００８１】
１    ライブラリ装置
２    ライブラリ装置
３    ライブラリ装置
１０    ライブラリ装置
１１    ドライブ
１２    マガジン
１３    アクセッサ
１４    電源
１５    制御回路
１６    フロントベゼル
１７    カートリッジ
１８    バネ
２０    シート
２１    シート取付部
２２    シート取付部
２３    ローラー
２４    ローラー
２５    ローラー
２６    ローラー
２７    固定部
２８    固定部
２９    固定部
３０    シート
３０Ｌ    シート
３０Ｒ    シート
３１    シート取付部
３２    シート取付部
３３    固定部
３４    シート取付部
３５    シート取付部
３６    固定部
３７    シート取付部
３８    シート取付部
３９    固定部
４０    シート
４０Ｌ    シート
４０Ｒ    シート
【図１】
2016103302.tif 000003
【図２】
2016103302.tif 000004
【図３】
2016103302.tif 000005
【図４】
2016103302.tif 000006
【図５】
2016103302.tif 000007
【図６】
2016103302.tif 000008
【図７】
2016103302.tif 000009
【図８】
2016103302.tif 000010
【図９】
2016103302.tif 000011
【図１０】
2016103302.tif 000012
【図１１】
2016103302.tif 000013
【図１２】
2016103302.tif 000014
【図１３】
2016103302.tif 000015
【図１４】
2016103302.tif 000016
【図１５】
2016103302.tif 000017